(57)【要約】【課題】グロー時間制御装置の損傷を回避する。特に極性反転保護を実現する電界効果トランジスタの損傷を回避する。【解決手段】予め定められた個数のグロープラグを、バッテリ電圧から導出されパルス幅変調された制御信号によって制御する形式の、グロー時間制御装置の消費電流を制限する方法、および消費電流を制限するデバイスを備えたグロー時間制御装置において、同時に動作させるグロープラグの個数を低減する。【選択図】図３
2015175373.tif 000002
【特許請求の範囲】
【請求項１】
予め定められた個数のグロープラグ（９，１０，１１，１２）を、動作電圧（ＵBatt）から導出されパルス幅変調された制御信号によって制御する、
グロー時間制御装置の消費電流を制限する方法において、
同時に動作させるグロープラグ（９，１０，１１，１２）の個数を低減することを特徴とする、
グロー時間制御装置の消費電流を制限する方法。
【請求項２】
同時に動作させる前記グロープラグ（９，１０，１１，１２）の個数を、バッテリ電圧（ＵBatt）に依存して、および／または、前記グロープラグ（９，１０，１１，１２）のプラグ温度を表す測定値（Ｍ）に依存して、低減する、
請求項１に記載の方法。
【請求項３】
同時に動作させる前記グロープラグ（９，１０，１１，１２）の個数の低減を、該グロープラグ（９，１０，１１，１２）の予熱フェーズ中に行う、
請求項１または２に記載の方法。
【請求項４】
前記バッテリ電圧（ＵBatt）に依存して、および／または、前記グロープラグのプラグ温度を表す前記測定値（Ｍ）に依存して、前記グロープラグ（９，１０，１１，１２）の予熱フェーズ中、すべてのグロープラグ（９，１０，１１，１２）を同時に動作させるのか、または同時に動作させるグロープラグ（９，１０，１１，１２）の個数を低減するのか、を判定する、
請求項３に記載の方法。
【請求項５】
同時に動作させるグロープラグ（９，１０，１１，１２）の個数を低減するために、該グロープラグ（９，１０，１１，１２）のためのパルス幅変調された制御信号を同期合わせする、
請求項１から４のいずれか１項に記載の方法。
【請求項６】
前記グロー時間制御装置（１）のスイッチオン後、バッテリ電圧（ＵBatt）を測定し、および／または、ｎ個のグロープラグ（９，１０，１１，１２）のプラグ温度を表す測定値（Ｍ）を測定し、前記バッテリ電圧（ＵBatt）が第１の電圧閾値（ＵBattn）を上回った場合、および／または、ｎ個のグロープラグ（９，１０，１１，１２）のプラグ温度を表す前記測定値（Ｍ）が第１の温度閾値（Ｔn）を下回った場合、ｎ−１個のグロープラグ（９，１０，１１，１２）よりも多くの個数のグロープラグが同時に給電されないよう、前記グロープラグ（９，１０，１１，１２）をパルス幅変調により制御する、
請求項１から５のいずれか１項に記載の方法。
【請求項７】
前記バッテリ電圧（ＵBatt）が、前記第１の電圧閾値（ＵBattn）よりも高いｍ番目の電圧閾値（ＵBattn-m）を上回った場合、および／または、ｎ個のグロープラグ（９，１０，１１，１２）のプラグ温度を表す前記測定値（Ｍ）が、前記第１の温度閾値（Ｔn）よりも低いｍ番目の温度閾値（Ｔn-m）を下回った場合、ｎ−ｍ個のグロープラグ（９，１０，１１，１２）よりも多くの個数のグロープラグが同時に給電されないよう、前記グロープラグ（９，１０，１１，１２）をパルス幅変調により制御する、ただしｎ＞ｍである、
請求項６に記載の方法。
【請求項８】
前記グロープラグ（９，１０，１１，１２）として、セラミックス製の低電圧用プラグを使用する、
請求項１から７のいずれか１項に記載の方法。
【請求項９】
予熱フェーズの予め定められた期間が経過したときは、同時に動作させるグロープラグ（９，１０，１１，１２）の個数の低減を終了する、
請求項１から８のいずれか１項に記載の方法。
【請求項１０】
前記グロープラグ（９，１０，１１，１２）のプラグ温度を表す測定値（Ｍ）が、予め定められたプラグ温度測定値を上回った場合、および／または、目下のプラグ電流が所定のプラグ電流測定値を下回った場合、同時に動作させるグロープラグ（９，１０，１１，１２）の個数の低減を終了する、
請求項１から８のいずれか１項に記載の方法。
【請求項１１】
前記グロー時間制御装置（１）の消費電流を制限する、
請求項１から１０のいずれか１項に記載の方法。
【請求項１２】
予め定められた個数のグロープラグ（９，１０，１１，１２）が、動作電圧（ＵBatt）から導出されパルス幅変調された制御信号によって制御される、
消費電流を制限するデバイスを備えたグロー時間制御装置において、
同時に動作させられるグロープラグ（９，１０，１１，１２）の個数を低減する手段が設けられていることを特徴とする、
グロー時間制御装置。
【請求項１３】
バッテリ電圧入力端子と、前記グロープラグ（９，１０，１１，１２）を制御する電力トランジスタ（５，６，７，８）との間に、前記グロー時間制御装置（１）の電流容量を制限する少なくとも１つの極性保護素子（２，３）が配置されている、
請求項１１に記載のグロー時間制御装置。
【発明の詳細な説明】
【技術分野】
【０００１】
本発明は、予め定められた個数のグロープラグを、動作電圧から導出されパルス幅変調された制御信号によって制御する、グロー時間制御装置の消費電流を制限する方法、ならびにグロー時間制御装置に関する。
【背景技術】
【０００２】
最近のグロー時間制御装置の場合、グロー時間制御装置に供給されるバッテリ電圧ＵBattのパルス幅変調によって、グロープラグが制御される。この場合、スイッチングの機能を電力トランジスタが担っており、グロープラグの制御のために、各グロープラグごとにそれぞれ１つの電力トランジスタが設けられている。パルス幅変調制御のデューティサイクル（duty cycle: DC）を調整することによって、プラグ電圧実効値Ｕ_effもしくはプラグ電流実効値ｌ_effをフレキシブルに設定することができる。
【０００３】
【数１】
2015175373.tif 000003
【０００４】
バッテリ電圧補償機能が組み込まれたグロー時間制御装置が知られている。この装置によれば、グロープラグに供給される電圧実効値Ｕ_effが、デューティサイクルの調整によりできるかぎり一定に保持され、このようにすることでバッテリ電圧の偏差が補償される。
【０００５】
グロー時間制御装置の起動後、プッシュフェーズとも呼ばれる予熱フェーズ中、グロープラグをできるかぎり急速に加熱するために、消費電流実効値が大きくなるように設定される。したがってこの予熱フェーズの期間中は、高いデューティサイクルが設定され（Ｕ_effは一般に約１１Ｖ）、グロープラグが目標グロー温度に到達した後、定常的なグロー動作期間中は、デューティサイクルが低減される（Ｕ_effは一般に約７Ｖまたは４．４Ｖ）。
【０００６】
使用されるグロープラグの種類（セラミックスであるのか金属であるのか）によって、特に温度が低く（−４０℃）かつバッテリ電圧が比較的高い（１６Ｖ）場合であると、予熱フェーズ中、著しく大きいオン電流が流れる可能性がある。このため、使用される電子部品の電流容量に対し高い要求が課されることになる。特に、電界効果トランジスタによって実現される極性反転保護（Inverse Polarity Protection: IPP）が必要とされる場合には、このような電流容量を保証するのは極めて難しい。その理由は、低電圧用セラミックスプラグの場合には殊に、予熱フェーズ中に著しく大きい電流が流れるからである。グロープラグの最大プラグ電流は、初回のスイッチオン時にはプラグの抵抗とバッテリ電圧だけによって決まってしまい、つまり最大プラグ電流を変えることはできない。
【発明の概要】
【発明が解決しようとする課題】
【０００７】
したがって本発明が基礎とする課題は、グロー時間制御装置の損傷を回避することであり、特に極性反転保護を実現する電圧効果トランジスタの損傷を回避することである。
【課題を解決するための手段】
【０００８】
本発明によればこの課題は、同時に動作させるグロープラグの個数を低減することを特徴とする、グロー時間制御装置の消費電流を制限する方法、および消費電流を制限するデバイスを備えたグロー時間制御装置によって解決される。
【０００９】
同時に動作させるグロープラグを少なくすることによって、グロー時間制御装置の消費電流が全体として低減し、これによって極性保護を実現する電界効果トランジスタが損傷されないようになる。目標値と実効電圧との偏差が、グロー時間制御装置またはエンジン制御装置によりグロー制御において考慮され、これによってグロー制御のストラテジーを偏差に応じて整合させることができる。
【００１０】
有利には、同時に動作させるグロープラグの個数が、バッテリ電圧に依存して、および／または、グロープラグのプラグ温度を表す測定値に依存して、低減される。このようにして、同時に動作させるグロープラグ制御チャネルを制限することによって、グロー時間制御装置の総消費電流が低減される。
【００１１】
１つの実施形態によれば、同時に動作させるグロープラグの個数の低減が、グロープラグの予熱フェーズ中に行われる。プッシュフェーズとも呼ばれるこの予熱フェーズ中、プラグの抵抗は、殊に温度が低いときには著しく小さく、したがってグロープラグを急速に加熱しようとするため、グロープラグを介して著しく大きい電流が流れる。したがって、同時に動作させるグロープラグの個数を低減することにより消費電流が制限され、グロー時間制御装置が損傷から保護される。
【００１２】
１つの実施形態によれば、バッテリ電圧に依存して、および／または、グロープラグのプラグ温度を表す測定値に依存して、グロープラグの予熱フェーズ中、すべてのグロープラグを同時に動作させるのか、または同時に動作させるグロープラグの個数を低減するのか、が判定される。したがって、グロー時間制御装置の損傷を回避しながらも、常にできるかぎり急速な加熱が保証され、それによってグロープラグの動作が保証される。
【００１３】
１つの実施形態によれば、同時に動作させるグロープラグの個数を低減するために、グロープラグのためのパルス幅変調された制御信号の同期合わせが行われる。このような同期合わせによって、グロー時間制御装置の総消費電流の時間経過に伴う変動が最小限に抑えられる。この場合、グロープラグ制御チャネルｎをスイッチオフしたときに、それに同期して、次のグロープラグ制御チャネルｎ＋１がスイッチオンされる。
【００１４】
有利には、グロー時間制御装置のスイッチオン後、バッテリ電圧を測定し、および／または、ｎ個のグロープラグのプラグ温度を表す測定値を測定し、バッテリ電圧が第１の電圧閾値を上回った場合、および／または、ｎ個のグロープラグのプラグ温度を表す測定値が第１の温度閾値を下回った場合、ｎ−１個のグロープラグよりも多くの個数のグロープラグが同時に給電されないよう、グロープラグをパルス幅変調により制御する。総消費電流を低減する目的で、ｎ−１個のグロープラグだけを使用する場合には、パルス幅変調される制御信号のデューティサイクルが低減される。
【００１５】
たとえば、バッテリ電圧が、第１の電圧閾値よりも高いｍ番目の電圧閾値を上回った場合、および／または、ｎ個のグロープラグのプラグ温度を表す測定値が、第１の温度閾値よりも低いｍ番目の温度閾値を下回った場合、ｎ−ｍ個のグロープラグよりも多くの個数のグロープラグが同時に給電されないよう、グロープラグをパルス幅変調して制御する、ただしｎ＞ｍである。このような手法によって、同時に動作させるグロープラグの個数をいっそう低減することができ、ただしその際、動作させるグロープラグのためのパルス幅変調される制御信号のデューティサイクルも、同時に低減される。
【００１６】
１つの実施形態によれば、グロープラグとしてセラミックス製の低電圧用プラグが用いられる。特にこの種の低電圧用セラミックスプラグには、低温時もしくはバッテリ電圧が比較的高いとき、予熱フェーズ中に高いオン電流が加わる。給電されるグロープラグの個数を低減することによって、グロープラグのオン電流のレベルが低減し、このことによってグロー時間制御装置の損傷を確実に阻止することができる。
【００１７】
１つの実施形態によれば、予熱フェーズの設定された期間が経過したならば、同時に動作させるグロープラグの個数の低減を終了する。
【００１８】
別の選択肢として、グロープラグのプラグ温度を表す測定値が、予め定められたプラグ温度測定値を上回った場合、および／または、目下のプラグ電流が所定のプラグ電流測定値を下回った場合、同時に動作させるグロープラグの個数の低減を終了する。このようにすれば、消費電流が大きすぎる時点においてのみ、つまりはグロー時間制御装置の損傷を阻止すべき時点においてのみ、消費電流の制限が導入される。
【００１９】
既述の方法は、グロー時間制御装置の消費電流が制限される場合に、常に有利に使用することができる。
【００２０】
本発明は、消費電流を制限するデバイスを備えたグロー時間制御装置にも関する。この場合、予め定められた個数のグロープラグが、動作電圧から導出されパルス幅変調された制御信号によって制御される。このグロー時間制御装置には、グロープラグに印加される実効電圧を、同時に動作させるグロープラグの個数の低減により調整する手段が設けられている。このことの利点は、バッテリ電圧が高いときに、および／または、周囲温度が低いときに、過剰に大きい電流によって、グロー時間制御装置の損傷が回避されることであり、特に、グロー時間制御装置内に設けられており極性保護を実現する電界効果トランジスタの損傷が回避されることである。
【００２１】
有利には、バッテリ電圧入力端子と、グロープラグを制御する電力トランジスタとの間に、グロー時間制御装置の電流容量を制限する少なくとも１つの極性保護素子が配置されている。
【００２２】
本発明によれば、数多くの実施形態が可能である。次に、それらのうち２つの実施形態について、図面を参照しながら詳しく説明する。なお、図中、同じ要素ないしは部材には同じ参照符号が付されている。
【図面の簡単な説明】
【００２３】
【図１】グロー時間制御装置の回路の実施例を示す図
【図２】低温状態のセラミックスグロープラグへ供給されるオン電流の経過特性を例示する図
【図３】本発明による方法の第１実施例について示す図
【図４】本発明による方法の第２実施例について示す図
【図５】グロー時間制御装置によるグロープラグ制御を同期合わせするための実施例について示す図
【発明を実施するための形態】
【００２４】
図１には、グロー時間制御装置１の１つの実施例が示されており、この装置はバッテリ電圧ＵBattに接続されている。グロー時間制御装置１内部においてバッテリ電圧ＵBattは、並列接続された２つの電界効果トランジスタ２，３に加わっており、これらの電界効果トランジスタにより、バッテリレベルに応じた極性反転保護が実現される。これらの電界効果トランジスタ２，３は、この図には特に示されていないマイクロプロセッサまたはＡＳＩＣにより制御され、これらによりグロープラグの電力トランジスタも制御される。ここで考察対象としているグロー時間制御装置１によれば、４本のシリンダを備えた内燃機関が制御され、この場合、シリンダごとに１つのグロープラグ９，１０，１１，１２が設けられている。これらのグロープラグ９，１０，１１，１２各々は、それぞれ１つの電力トランジスタ５，６，７，８によりパルス幅変調方式で制御され、その際、パルス幅変調された制御信号は、マイクロプロセッサまたはＡＳＩＣによって形成される。上述のグロー時間制御装置１の電流容量は、電界効果トランジスタ２，３により一般に２００Ａまでに制限されている。
【００２５】
グロープラグ９，１０，１１，１２は、低電圧用セラミックスプラグとして形成されている。この種の低電圧用セラミックスプラグは、低温状態のグロープラグ９，１０，１１，１２を大きいオン電流により所定の動作温度まで加熱する予熱フェーズ中、図２に示されているような温度経過特性もしくは電流経過特性を有している。この場合、グロープラグ９，１０，１１，１２の温度経過特性は、−３０℃からの温度の事例が曲線Ａとして、＋２５℃からの温度の事例が曲線Ｂとして描かれている。これらに代わるものとして、グロープラグ９，１０，１１，１２の温度上昇が時間軸上に示されている。この場合、曲線Ｃは、印加される動作電圧ＵBattを表す一方、曲線Ｄは−３０℃のときのプラグ電流を、曲線Ｅは２５℃のときのプラグ電流を表している。
【００２６】
次に、図３および図４に示された２つの実施例に基づき、本発明による方法について詳しく説明する。グロー時間制御装置１の起動後、プラグ電流が送出される前に、まずはバッテリ電圧ＵBattが測定され、および／または、プラグ温度と相関する測定値Ｍが測定され、この測定値をたとえば外気温またはグロー時間制御装置１の温度とすることができる。外気温は、グロー時間制御装置１の測定値として必ずしも直接、取得できるわけではない。したがって別の選択肢として、グロー時間制御装置１内部の温度を測定することができ、あるいは、同様に内燃機関の近くに配置されているエンジン制御装置によって外気温を測定することができ、たとえばＬＩＮまたはＣＡＮバスなどの通信データラインを介した転送により、エンジン制御装置からグロー時間制御装置１へ外気温を供給することができる。プラグ温度自体は、公称電流が給電されなければ測定できず、そのためグロー過程開始前は取得できない。ついで上述の測定値の評価に従い、４つのグロープラグ９，１０，１１，１２をすべて同時に動作させて確実な予熱を行うのか、または、同時に動作させるグロープラグ９，１０，１１，１２の個数を減らしてオン電流を制限するのか、という判定が下される。
【００２７】
以下では、ｎ個のシリンダおよびそれらのシリンダに対応してｎ個のグロープラグを備えたディーゼルエンジンであるとし、ここでは一例としてｎ＝４が選択されている。測定されたバッテリ電圧ＵBattが第１の電圧閾値ＵBattnを上回ると、および／または、プラグ温度と相関する測定値Ｍが第１の温度閾値Ｔnを下回ると、ｎ−１個のグロープラグ９，１１，１２よりも多くのグロープラグには同時に給電されないように、グロープラグ９，１０，１１，１２が制御される。図３には、バッテリ電圧ＵBattに対するグロー時間制御装置１の最大総電流ｌが示されている。グロー時間制御装置１の総電流ｌとバッテリ電圧ＵBattとの関係は、プラグの抵抗が約２００ｍΩであり−４０℃の低温状態にあるセラミックスグロープラグ９，１０，１１，１２の事例について設定されている。
【００２８】
ここでの目的は、電界効果トランジスタ２，３の動作性能が制約されてしまうことがないように、グロー時間制御装置１の総消費電流を２００Ａよりも小さい値に制限することである。４チャネル動作４Ｋは、実効電圧Ｕ_effの第１の電圧閾値Ｕ1である１１．５Ｖなるまで許容される。この動作においては、４つのグロープラグ９，１０，１１，１２すべてに、１００％のデューティサイクルでパルス幅変調された制御信号が同時に供給される。実効電圧Ｕ_effの第２の閾値Ｕ2である１５Ｖに至るまでは、グロー時間制御装置１が３チャネル動作３Ｋに切り替えられる。この動作においては、３つのグロープラグ９，１１，１２だけが同時に動作させられ、このときに許容されるデューティサイクルは制御信号の最大で７５％である。実効電圧Ｕ_effの第２の閾値Ｕ2である１５Ｖからは、グロー時間制御装置１が２チャネル動作２Ｋに切り替えられる。この動作においては、２つのグロープラグ９，１０が同時に動作させられ、パルス幅変調された制御信号のデューティサイクルは、最大で５０％までに制限される。
【００２９】
２つのグロープラグ９，１０を動作させるのか、または３つのグロープラグ９，１１，１２を動作させるのかの判定にあたり、バッテリ電圧ＵBattが、第１の閾値ＵBattnよりも高い第２の閾値ＵBattn-1を上回っているか、および／または、プラグ温度と相関する測定値Ｍが、第１の温度閾値Ｔnよりも低い第２の温度閾値Ｔn-1を下回っているか、をチェックする。この条件があてはまるならば、２つのプラグ９，１１よりも多くのプラグに対し同時には給電されない。同様に、さらに次の電圧閾値ＵBattn-mおよび温度閾値Ｔn-mについても、この方法を続けていくことができる。
【００３０】
図４には、確実な予熱動作中のバッテリ電圧ＵBattに対するグロープラグ９，１０，１１，１２の実効電圧Ｕ_effの経過特性が示されている。この図には、本発明による方法の適用による目標実効電圧Ｕ_effの偏差ΔＵ_effが、はっきりと示されている。
【００３１】
グロー時間制御装置１の総消費電流ｌが時間の経過に伴い変動するのを最小限に抑える目的で、グロープラグ９，１０，１１，１２に対する制御の同期合わせが実行される。この場合、グロープラグ９，１０，１１，１２の第１の制御チャネルが遮断されると、グロープラグ９，１０，１１，１２の次の制御チャネルが、この遮断に同期してスイッチオンされる。
【００３２】
図５Ａには、グロープラグ９，１０，１１，１２のパルス幅変調された制御信号の４チャネル動作４Ｋが示されている。４チャネル動作４Ｋの場合、デューティサイクルは１００％〜７５％にあり、４つのグロープラグ９，１０，１１，１２すべてが同時に起動される。ここで特性曲線Ｆは、１つの周期期間にわたるグロー時間制御装置１の総電流ｌを表しており、領域Ｆ１中は、４つのグロープラグ９，１０，１１，１２すべてに給電が行われるのに対し、領域Ｆ２中は、３つのグロープラグ９，１１，１２だけが動作させられる。
【００３３】
図５Ｂには、最大で３つのグロープラグ９，１１，１２が同時に動作させられる３チャネル動作３Ｋが示されている。３チャネル動作３Ｋの場合、グロープラグ９，１１，１２のパルス幅変調された制御信号のデューティサイクルは、７５％〜５０％である。この図においても、特性曲線Ｆにより総電流ｌが表されており、領域Ｆ１により３つのプラグ９，１１，１２に流れる電流が、領域Ｆ２により２つのプラグ９，１１に流れる電流が表されている。１５Ｖの実効電圧Ｕ_effよりも高いときに実行される２チャネル動作２Ｋを実現するためには、図５Ｃに示されているように、デューティサイクルは５０％〜２５％となる。この動作の場合、領域Ｆ１においては２つのグロープラグ９，１１に電流が流れるのに対し、領域Ｆ２によって表されているのは、１つのグロープラグ９のみに給電されることである。
【００３４】
識別された利用されているグロープラグタイプに応じて、グロー時間制御装置１の消費電流を制限する方法を遮断できるように構成してもよい。このように構成すれば、金属プラグが用いられている場合に、たとえば電流制限を行わないようにすることができる。その理由は、臨界的な即ちリスクの高い低温において、金属製のグロープラグの消費電流は、セラミックス製のグロープラグの消費電流よりも一般的に小さいからである。消費電流の制限を行う動作期間を、予め設定された予熱期間（たとえば１００ｍｓ）を経過した後に終了させることができ、あるいは（温度に依存するプラグの抵抗値測定による）プラグ温度測定値が所定値を超えた後に、またはプラグ電流測定値が所定値を超えた後に、終了させることができる。既述の方法を適用することによって、実効電圧Ｕ_effを低減することができる。目標実効電圧Ｕ_effからの偏差を、グロー時間制御装置１のグロー制御部へ伝送することができ、それによってグロー制御のストラテジーを、偏差に応じて整合することができる。たとえば、予め定められたプッシュエネルギーに到達させるために、予熱フェーズ期間を延長することができる。
【図１】
2015175373.tif 000004
【図２】
2015175373.tif 000005
【図３】
2015175373.tif 000006
【図４】
2015175373.tif 000007
【図５−１】
2015175373.tif 000008
【図５−２】
2015175373.tif 000009
【図５−３】
2015175373.tif 000010